(57)【特許請求の範囲】
【請求項１】
復水の流入口と還元口を設けた復水溜容器と、該復水溜容器に高圧操作流体の導入口と循環口を形成すると共に、水位と共に浮上降下するフロ―ト手段を配置して、該フロ―ト手段の変位に応じて上記高圧操作流体の導入口と循環口とを開閉して復水を圧送し回収するものにおいて、
前記復水の流入口及び前記高圧操作流体の循環口を復水集合タンクと接続し、
前記復水集合タンクに大気連通管を接続し、
前記復水の還元口に復水回収管を接続し、
前記復水回収管を分岐した復水分岐管を取り付け、
前記復水分岐管を前記大気連通管と接続し、
前記復水分岐管に温度応動弁を取付け、
前記大気連通管に感温筒を接続し、
前記温度応動弁は、前記感温筒が前記大気連通管内の流体温度が所定値よりも高いことを検知すると開弁して、前記復水回収管内の復水を前記大気連通管内へ噴射させる、復水回収装置。
【発明の詳細な説明】
【技術分野】
【０００１】
本発明は、蒸気使用機器で発生した蒸気の凝縮水としての復水を、ボイラーや給水タンク等の所定の復水回収先へ回収する復水回収装置に関する。
【背景技術】
【０００２】
従来の復水回収装置は、蒸気使用機器の復水出口側を蒸気トラップと復水集合タンクと逆止弁を介して復水圧送部材に接続し、この復水圧送部材の高圧操作流体排出口に圧力制御弁を取り付けたもので、熱エネルギー損失を少なくすることができるものである。
【０００３】
この復水回収装置においては、通常、復水集合タンクに大気連通管を接続して、復水集合タンク内で復水が再蒸発した再蒸発蒸気を、この大気連通管から大気中へ排出しているために、蒸気損失すなわち熱損失が発生してしまう問題があった。
【先行技術文献】
【特許文献】
【０００４】
【特許文献１】特開２００８−１７０１２６号公報
【発明の概要】
【発明が解決しようとする課題】
【０００５】
解決しようとする課題は、復水集合タンクから大気中への蒸気損失すなわち熱損失を少なくすることのできる復水回収装置を提供すること。
【課題を解決するための手段】
【０００６】
本発明は、復水の流入口と還元口を設けた復水溜容器と、該復水溜容器に高圧操作流体の導入口と循環口を形成すると共に、水位と共に浮上降下するフロ―ト手段を配置して、該フロ―ト手段の変位に応じて上記高圧操作流体の導入口と循環口とを開閉して復水を圧送し回収するものにおいて、復水の流入口を復水集合タンクと接続して、当該復水集合タンクに大気連通管を接続し、復水の還元口に復水回収管を接続すると共に、当該復水回収管を分岐した復水分岐管を取り付けて、当該復水分岐管を上記大気連通管と接続したものである。
【発明の効果】
【０００７】
本発明の復水回収装置は、復水回収管を分岐した復水分岐管を取り付けて、この復水分岐管を復水集合タンクの大気連通管と接続したことによって、復水分岐管から供給される復水が、大気連通管の内部に噴射され、再蒸発蒸気の熱を奪って凝縮させることで、再蒸発蒸気の量を減少させ、復水集合タンクから大気中への蒸気損失すなわち熱損失を少なくすることができる。
【図面の簡単な説明】
【０００８】
【図１】本発明の復水回収装置の実施例を示す構成図。
【発明を実施するための最良の形態】
【０００９】
本発明の復水回収装置は、復水分岐管から大気連通管の内部に復水を噴射するものであるが、この噴射部には、多孔部材や噴射ノズル等を取り付けることができる。
【実施例１】
【００１０】
図１は本実施例の構成図であって、復水溜容器１と復水集合タンク２と、復水集合タンク２に接続した大気連通管３と、復水回収管４とで復水回収装置を構成する。
【００１１】
復水集合タンク２に復水流入管５を接続する。復水流入管５の左端部は、図示しない蒸気使用機器と接続して、この蒸気使用機器で発生した復水が、復水流入管５から復水集合タンク２へ流入するものである。
【００１２】
復水溜容器１に復水の流入口６と還元口７、及び、高圧操作流体の導入口８と循環口９をそれぞれ形成する。復水の流入口６に管路１０を介して復水集合タンク２と接続する。管路１０には、逆止弁１１を取り付ける。逆止弁１１は、復水集合タンク２から復水溜容器１側への復水の流下を許容し、反対方向の流れは阻止する機能を有する。
【００１３】
復水の還元口７にも逆止弁１２を介して復水回収管４を接続する。逆止弁１２は、復水溜容器１内から復水回収管４側への復水の流下を許容し、反対方向の流れは阻止するものである。
【００１４】
復水回収管４を分岐して復水分岐管１３を取り付ける。復水分岐管１３の上部は、大気連通管３と接続する。復水分岐管１３に温度応動弁１４を取り付ける。温度応動弁１４は、大気連通管３の上部に取り付けた感温筒１５で、大気連通管３内の流体温度を検出して、検出温度値が所定値よりも高くなると開弁して復水回収管４内の復水を大気連通管３内へ噴射することで、復水集合タンク２から大気連通管３内へ上昇してくる再蒸発蒸気を凝縮させ、再度、復水集合タンク２内へ滴下させるものである。このように、大気連通管３内の再蒸発蒸気を滴下させることで、再蒸発蒸気が大気中へ放出されることを防止して、蒸気損失すなわち熱損失を少なくすることができる。
【００１５】
大気連通管３は管路１６によって大気開放管１７とオーバーフロー管１８に連通する。大気開放管１７は大気連通管３を上昇してきた再蒸発蒸気の一部が大気中へ放出されるものであり、オーバーフロー管１８は主に復水が大気中へ排出されるものである。
【００１６】
復水溜容器１に形成した高圧操作流体の導入口８に高圧の蒸気供給管１９を接続する。また、高圧操作流体の循環口９は、管路２０を介して復水集合タンク２の左側面上部と接続する。
【００１７】
復水溜容器１は、内部に配置した図示しないフロートが下方部に位置する場合に、高圧操作流体の導入口8を閉口し、一方、高圧操作流体の循環口9を開口して復水集合タンク２と連通し、管路１０から復水を復水溜容器１内に流下させる。
【００１８】
復水溜容器１内に復水が溜まって図示しないフロートが所定上方部に位置すると、高圧操作流体の循環口９を閉口し、一方、高圧操作流体の導入口８を開口し、高圧の蒸気供給管１９から圧送用高圧蒸気を内部に流入させることにより、内部に溜まった復水を復水の還元口７と逆止弁１２と復水回収管４を通してボイラー等の復水回収先へ圧送する。
【００１９】
復水が圧送されて復水溜容器１内の液位が低下すると、再度、高圧操作流体の導入口８を閉口し、高圧操作流体の循環口９を開口することによって、復水の流入口６から復水を内部へ流下させる。このような作動サイクルを繰り返すことによって復水を所定の回収先へ回収する。
【００２０】
大気連通管３内の検出温度値が所定値よりも高くなると、復水回収管４内の復水を大気連通管３内へ噴射することで、復水集合タンク２から大気連通管３内へ上昇してくる再蒸発蒸気を凝縮させ、再度、復水集合タンク２内へ滴下させることによって、再蒸発蒸気が大気中へ放出されることを防止して、蒸気損失すなわち熱損失を少なくすることができる。
【産業上の利用可能性】
【００２１】
本発明は、蒸気使用機器で発生した蒸気の凝縮水としての復水を、ボイラーや給水タンク等の所定の復水回収先へ回収する復水回収装置として利用することができる。
【符号の説明】
【００２２】
１  復水溜容器
２  復水集合タンク
３  大気連通管
４  復水回収管
５  復水流入管
６  流入口
７  還元口
８  高圧操作流体の導入口
９  高圧操作流体の循環口
１３  復水分岐管
【図１】
0006006979.tif 000002